(57)【要約】【課題】  装飾性(特に金属光沢又はパール状光沢)に優れるとともに、引っ張っても曲げても元に戻る復元力のある紐を提供する。【解決手段】  延伸自在なゴム状芯体(天然ゴム製、２０本の糸の複合体等)１１と、ゴム状芯体１１の表面に網目状に巻かれた複数（１２本等）のフィルム状帯状体（ポリエステル製等、乳白色状、淡い青色状又は淡い桃色状パール状光沢、金色、銀色又はの金属光沢又はガラス状の反射する光沢等）１２と、ゴム状芯体１１にフィルム状帯状体１２と交互に編み込むように巻かれたモノフィラメント（１２本等、ポリエステル製、透明又は黒色等）１３と、を備える。【選択図】    図１
2005350789.tif 000002
【特許請求の範囲】
【請求項１】
延伸自在なゴム状芯体と、該ゴム状芯体の表面に網目状に巻かれた複数のフィルム状帯状体と、該ゴム状芯体に該フィルム状帯状体と交互に編み込むように巻かれたモノフィラメントと、を備えることを特徴とする紐。
【請求項２】
前記ゴム状芯体は複数のゴム糸からなる請求項１に記載の紐。
【請求項３】
前記複数のフィルム状帯状体は１種類又は２種類以上の金属状光沢を有するフィルム状帯状体である請求項１又は２に記載の紐。
【請求項４】
前記１種類又は２種類以上の金属状光沢を有するフィルム状帯状体は金属光沢又はパール状光沢を有し、且つ前記モノフィラメントは透明又は黒色である請求項３に記載の紐。
【請求項５】
前記フィルム状帯状体は８〜１６本であり、前記モノフィラメントは前記フィルム状帯状体と同数である請求項１乃至４のいずれかに記載の紐。
【請求項６】
前記フィルム状帯状体の幅は０．５〜２ｍｍであり、前記モノフィラメントの径は０．０５〜０．２ｍｍである請求項５に記載の紐。
【発明の詳細な説明】
【技術分野】
【０００１】
本発明は、紐に関し、更に詳しくは、装飾性に優れるとともに変形させても復元力のある紐に関する。
【背景技術】
【０００２】
従来より、芯がゴム等でできている紐が知られている（特許文献１、２、３参照）。
これらの紐の表面には繊維からなる糸又はモノフィラメント糸が巻かれている。この糸の場合は、十分に優れた装飾性が得られにくく、特に、金属光沢又はパール光沢等のような今属状光沢を有するものではない。
【０００３】
【特許文献１】特開２０００−２４８４５７号公報
【特許文献２】特開平１１−７５９２９号公報
【特許文献３】特開平１０−２１２６４７号公報
【発明の開示】
【発明が解決しようとする課題】
【０００４】
以上より、装飾性に優れるとともに、引っ張っても曲げても元に戻る復元力のある紐、特に今属状光沢を有する紐の現出が望まれている。
本発明は、上記欠点に鑑みて案出されたもので、装飾性に優れるとともに、引っ張っても曲げても元に戻る復元力のある紐を提供することを課題とする。
【課題を解決するための手段】
【０００５】
本発明は、以下の通りである。
［１］  延伸自在なゴム状芯体と、該ゴム状芯体の表面に網目状に巻かれた複数のフィルム状帯状体と、該ゴム状芯体に該フィルム状帯状体と交互に編み込むように巻かれたモノフィラメントと、を備えることを特徴とする紐。
［２］  前記ゴム状芯体は複数のゴム糸からなる［１］に記載の紐。
［３］  前記複数のフィルム状帯状体は１種類又は２種類以上の金属状光沢を有するフィルム状帯状体である［１］または［２］に記載の紐。
［４］  前記１種類又は２種類以上の金属状光沢を有するフィルム状帯状体は金属光沢又はパール状光沢を有し、且つ前記モノフィラメントは透明又は黒色である［３］に記載の紐。
［５］  前記フィルム状帯状体は８〜１６本であり、前記モノフィラメントは前記フィルム状帯状体と同数である［１］乃至［４］のいずれかに記載の紐。
［６］  前記フィルム状帯状体の幅は０．５〜２ｍｍであり、前記モノフィラメントの径は０．０５〜０．２ｍｍである［５］に記載の紐。
【発明の効果】
【０００６】
本発明の紐によれば、上記複数のフィルム状帯状体により、装飾性を出すことができるとともに、上記モノフィラメントが上記ゴム状芯体に上記フィルム状帯状体と交互に編み込むように巻かれているので、上記紐を引っ張っても曲げてもフィルム状帯状体が伸びきってしまうことなく、上記紐は、元に戻る復元力を有する。更に、本発明の紐においては、フィルム状帯状体という幅広でしかも表面が平滑なものを用いているので、通常の繊維糸又はモノフィラメント糸のような横断面が丸い糸を用いる場合と比べて、装飾性を著しく高めることができる。一方、紐の表面には繊維からなる糸又はモノフィラメント糸が巻かれているにすぎない紐では回復性があるものの金属状光沢を有さにあし、また、カバー部分にフィルム状帯状体のみが巻かれただけの紐は、装飾性を付与することができるものの何度も引っ張るとフィルム状帯状体が伸びきってしまい、元に戻らないという欠点があった。
また、上記ゴム状芯体が複数のゴム糸からなる場合は、ゴム糸が複数なので、たとえ一本の糸に不具合が生じても全体としてゴム糸の機能が損なわれることもないし、丈夫であり、人間の手で引っ張ったぐらいでは切れてしまうことがない。
更に、上記複数のフィルム状帯状体が１種類又は２種類以上の金属状光沢を有するフィルム状帯状体である場合は、１種類又は２種類以上の金属状光沢により、更に装飾性に優れる。
また、上記１種類又は２種類以上の金属状光沢を有するフィルム状帯状体が金属光沢又はパール状光沢を有し、且つ上記モノフィラメントが透明又は黒色の場合は、フィルム状帯状体のもつ１種類又は２種類以上の金属光沢又はパール状光沢により独特な光沢をもつ紐が実現できるとともに、モノフィラメントが透明の場合は色彩的に邪魔にならず、黒色の場合は独特な陰影となるので、装飾的にきわめて優れた紐が実現できる。
更に、上記フィルム状帯状体が８〜１６本であり、上記モノフィラメントが上記フィルム状帯状体と同数である場合は、上記フィルム状帯状体の一本一本にモノフィラメントが編みこまれるので、十分な復元力が得られるとともに、多種類の金属状光沢を有する紐が実現できる。
また、上記フィルム状帯状体の幅が０．５〜２ｍｍであり、上記モノフィラメントの径が０．０５〜０．２ｍｍである場合は、上記モノフィラメントに比べて上記フィルム状帯状体が十分な面積を有するので、装飾性のある紐ができる。
【発明を実施するための最良の形態】
【０００７】
本発明の紐は、延伸自在なゴム状芯体と、ゴム状芯体の表面に網目状に巻かれた複数のフィルム状帯状体と、ゴム状芯体にフィルム状帯状体と交互に編みこむように巻かれたモノフィラメントと、を備える。
「延伸自在」とは、引っ張ることも曲げることも自在にできるということであり、更に引っ張ったり曲げたりした後、離すと元通りに戻るということである。
「ゴム状芯体」は、１本のゴム糸でもよいし、複数のゴム糸状体（ゴムでできた糸）を束ねたものであってもよい。このゴム糸状体の数は特に限定されないが、４〜３０本、好ましくは６〜２４本、特に好ましくは１０〜２４本程度とすることができる。この複数のゴム糸状体を束ねるに際して接着剤（天然ゴムラテックス系、高分子ラテックス系等）は用いても用いなくてもよい。
１本のゴム糸又は複数本全体からなるゴム状芯体の横断面の径は１〜５ｍｍ、好ましくは２〜４ｍｍとすることができる。また、このゴム状芯体の横断面形状、即ち、１本のゴム糸の場合はそのゴム糸の横断面形状又は複数のゴム糸状体を束ねたものの場合はその全体としての横断面形状は、特に限定されず、円形や四角形（正方形又は長方形等）、五角形、六角形等でも良い。それらのうち、円形、正方形又は長方形が好ましい。また、複数のゴム糸状体のこの各糸状体の横断面形状も、上記の如く種々の形状のものとすることができ、更に異なった横断面形状の糸状体を組み合わせて用いることもできる。この各糸状体の横断面形状が円形の場合には、その直径を０．５〜２ｍｍ、好ましくは０．８〜１．２ｍｍとすることができる。横断面形状が正方形又は長方形の場合には一辺（又は長方形の場合は長辺）を０．５〜３ｍｍ、好ましくは１〜２ｍｍとすることができる。
また、ゴム糸又はゴム糸状体の材質は、天然ゴムでも合成ゴム（ＳＢＲ、ＮＢＲ、ウレタンゴム等）でもよく、好適な例を挙げれば、天然ゴム製のものが好ましい。
「ゴム状芯体の表面」とは、１本のゴム糸からなる場合はその表面、複数のゴム糸状体を束ねて作ったゴム状芯体の場合はその全体形状体の外側の面のことである。
【０００８】
「フィルム状帯状体」とは、厚さが薄くある程度の幅をもつ帯状体ということであり、厚さを０．０５〜０．２ｍｍ、好ましくは０．０８から０．１２ｍｍとすることができ、その幅を０．５〜２ｍｍ、好ましくは０．８から１．２ｍｍの長く伸びる帯状の糸とすることができる。材質は特に問わず、ポリエステルでもポリプロピレンでもナイロン等でもよいが、丈夫であること、安価で手に入ること、装飾性を持たせやすいことなどからポリエステル又はナイロン、特にポリエステルが好ましい。
「複数の」とは、２本（２枚）以上のことであり、好ましくは上記フィルム状帯状体を８〜１６本、より好ましくは１０〜１４本とすることができる。
「網目状に巻かれた」とは、上記複数のフィルム状帯状体を繊維を織る要領で、交互に網の目のように織り込んで巻かれているということである。この織り方は特に問わない。
また、上記フィルム状帯状体は、金属状光沢を有するフィルム状帯状体である。この  「金属状光沢」とは、（１）金色、銀色等の「金属光沢」、（２）見る角度等によっては種々の色を視認できる「パール状光沢」（例えば乳白色を中心にしたもの、淡い桃色を中心にしたもの、淡い青色を中心にしたもの等）、（３）よく磨いた黒檀等の光沢、又は（４）ガラス等の細かい反射材が蒸着されて、光を反射して鮮やかに光る光沢等のことである。このフィルム状帯状体は、１種類のみでもよいし、２種類以上を組み合わせてもよい。また、上記金属状光沢のうち、１種類でもよいし、２種類以上の金属状光沢を有するものとしてもよい。即ち、同じ金属光沢等の同じ光沢を有する材質の一種類を用いてもよいし、二種類以上を用いてもよいし、金属光沢等が同じで異なった金属光沢等（例えば金色と銀色等の組み合わせ）を用いてもよいし、更に、異なった光沢の組み合わせ（例えば金属光沢とパール状光沢との組み合わせ等）等を用いることもできる。即ち、材質種類、同じ光沢のうちの種類、及び異なる光沢種類の種々の組み合わせを用いることができる。これが、１種類の場合は、簡素な色彩美観となり、２種類又は３種類以上の場合は複雑な色彩美観となる。
【０００９】
「モノフィラメント」とは、１本の糸のことであり、この直径は０．０５〜０．２ｍｍ、好ましくは０．０８から０．１２ｍｍとすることができる。この材質は、ポリエステル、ポリプロピレン又はナイロン等とすることができ、これらのうち、ポリエステル又はナイロンが好ましく、丈夫であること、安価で手に入ること及び染色が容易であることからからポリエステルが、特に、好ましい。また、これらの材質の一種類でもよいし、二種類以上の糸を組み合わせて用いてもよいし、これらの材質の二種類以上を複合させた複合糸を用いてもよい。
「交互に編み込むように巻かれた」とは、フィルム状帯状体がゴム状芯体に巻かれるとき、モノフィラメントが同時に繊維を編み込むようにフィルム状帯状体と交互に巻かれるということである。モノフィラメントはフィルム状帯状体と同数、即ち、通常は８〜１６本、より好ましまた、上記フィルム状帯状体は、１種類又は２種類以上の金属状光沢を有するフィルム状帯状体であることが好ましい。
【００１０】
また、モノフィラメントは、特に色等の限定はなく、例えば透明、黒色、黒色以外の着色（例えば赤色、青色、黄色等）とすることができ、フィルム状帯状体とで織りなす美観上、これらのうち透明又は黒色であることが好ましい。モノフィラメントが「透明」又は「黒色」とは、透明の場合にはゴム状芯体に巻かれたときに、フィルム状帯状体の装飾効果の邪魔にならず、黒色の場合にはゴム状芯体に巻かれたときに、フィルム状帯状体の装飾効果の内の陰影の部分となり、独特な趣のある装飾効果が得られることである。
更に、フィルム状帯状体の色の種類とモノフィラメントの透明又は黒色の組み合わせは、自在であり種々のものとすることができ、例えば、（１）複数のフィルム状帯状体をパール状光沢と別のパール状光沢との２組（例えば乳白色中心のもの、淡い桃色中心のもの及び淡い青色中心のもののうちの二種類の組み合わせ等）とし、モノフィラメントを透明又は黒色にしたり、（２）複数のフィルム状帯状体を金属光沢と別の金属光沢との２組（例えば金色と銀色等）とし、モノフィラメントを黒色としたり、（３）複数のフィルム状帯状体を種々のパール状光沢と種々の金属光沢との２組とし、モノフィラメントを透明又は黒色にしたり、又は（４）複数のフィルム状帯状体をガラス反射状光沢の１組とし、モノフィラメントを透明又は黒色としたりすることができる。具体的には、（１）の場合の例としては、複数のフィルム状帯状体を乳白色状パール状と淡い桃色状パール状との組み合わせ、あるいは、乳白色状パール状と淡い青色状パール状との組み合わせ等がある。（２）の場合の例としては、複数のフィルム状帯状体を金色と銀色の組み合わせ、あるいは、金色と白色の組み合わせ等がある。（３）の場合の例としては、複数のフィルム状帯状体を乳白色状パール状と銀色の組み合わせ、あるいは、乳白色状パール状と金色の組み合わせ等がある。（４）の場合の例としては、複数のフィルム状帯状体をガラス状のよく光を反射する光沢のみ、又は、この反射光沢と金属光沢との組み合わせ等がある。更に、この帯状体の表面を平滑にして鏡面としたものとすることもできる。
【実施例】
【００１１】
以下、図面に基づいて実施例により本発明をより具体的に説明する。
（１）実施例１
本実施例の紐１は、ゴム状芯体１１とフィルム状帯状体１２とモノフィラメント１３とを備える。
ゴム状芯体１１は、図１及び図２に示すように、ゴム糸状体１１１を束ねたものである。ゴム糸状体１１１の材質は、天然ゴムであり、断面は円形で断面の直径は１ｍｍである。このゴム糸状体１１１を約２０本束ね、全体として直径が約３ｍｍのゴム状芯体１１ができる。ゴム糸状体を束ねるに際して接着剤は用いても用いなくてもよいが、用いる場合には天然ゴムラテックス系、高分子ラテックス系等の接着剤を用いる。
フィルム状帯状体１２は、材質がポリエステルであり、厚さが０．１ｍｍ、幅が１ｍｍのフィルム状の糸である。このフィルム状帯状体１２は一方向に６本、他方向に６本の合計１２本が繊維を織るように網目状にゴム状芯体１１に巻かれている。一方向の６本のフィルム状帯状体１２１は乳白色を中心にしたパール状の光沢、別方向（一方向に約１２０度交差した方向）の６本のフィルム状帯状体１２２は淡い青色を中心にしたパール状の光沢である。
モノフィラメント１３は、材質がポリエステルであり、断面が円形で直径が０．１ｍｍの１本の糸である。このモノフィラメント１３は、１方向に６本、合計１２本がゴム状芯体１１に、フィルム状帯状体１２と交互に繊維を織るように巻かれている。モノフィラメント１３の色は透明である。
【００１２】
上記のような構成の紐１（図３）は、まず、ゴム糸状体１１１を約２０本束ね、その表面に１方向に６本のフィルム状帯状体１２１、別方向に６本のフィルム状帯状体１２２、合計１２本のフィルム状帯状体１２と１２本のモノフィラメント１３を繊維を織る要領で交互に編み込むように巻きつけてできる。
このようにできた紐１は、ゴム状芯体１１が延伸自在な天然ゴムでできていて、フィルム状帯状体１２とモノフィラメント１３とが交互に螺旋状に巻かれているので、引っ張って伸ばすことも曲げることも自在である。また、力を抜けば元の形状、長さに戻る。更に、モノフィラメント１３がフィルム状帯状体１２と交互に編みこむように巻かれているので、引っ張ったり曲げたりした後、元に戻ろうとするときモノフィラメント１３がフィルム状帯状体１２を引っ張り戻すように戻るので、フィルム状帯状体１２が伸びきってしまうことがない。
【００１３】
（２）実施例２
実施例２は実施例１に対してフィルム状帯状体１２の光沢が異なるだけである。１方向の６本のフィルム状帯状体１２１は乳白色を中心にしたパール状の光沢、別方向の６本のフィルム状帯状体１２２は淡い桃色を中心にしたパール状の光沢である。モノフィラメント１３は透明である。
【００１４】
（３）実施例３
実施例３は実施例１に対してフィルム状帯状体１２の光沢とモノフィラメントの色が異なるだけである。１方向の６本のフィルム状帯状体１２１は金色の光沢、別方向の６本のフィルム状帯状体１２２は銀色の光沢である。モノフィラメント１３は黒色である。
【００１５】
（４）実施例４
実施例４は実施例１に対してフィルム状帯状体１２の光沢が異なるだけである。１方向の６本のフィルム状帯状体１２１は乳白色を中心にしたパール状の光沢、別方向の６本のフィルム状帯状体１２２は金色の光沢である。モノフィラメント１３は透明である。
【００１６】
（５）実施例５
実施例５は実施例１に対してフィルム状帯状体１２の光沢が異なるだけである。実施例５は１方向の６本のフィルム状帯状体１２１、並びに別方向の６本のフィルム状帯状体１２２がともにガラス光沢の極めてよく光を反射する反射材（ガラスビーズ）が蒸着されたものである。モノフィラメント１３は透明である。
【００１７】
（６）実施例の効果
実施例１の紐によれば、フィルム状帯状体１２１の乳白色状パール状の光沢とフィルム状帯状体１２２の淡い青色状パール状の光沢により、薄青く光る装飾性を出すことができ、この際モノフィラメント１３が透明であるので装飾性の邪魔にならない。また、モノフィラメント１３がゴム状芯体１１にフィルム状帯状体１２と交互に編み込むように巻かれているので、紐１を引っ張っても曲げてもフィルム状帯状体１２が伸びきってしまうことなく、紐１は、元に戻る復元力を有する。
実施例２の紐によれば、フィルム状帯状体１２１の乳白色状パール状の光沢とフィルム状帯状体１２２の淡い桃色状パール状の光沢により、薄桃色に光る装飾性を出すことができ、この際モノフィラメント１３が透明であるので装飾性の邪魔にならない。
実施例３の紐によれば、フィルム状帯状体１２１の金色の光沢とフィルム状帯状体１２２の銀色の光沢により、薄金色に光る装飾性を出すことができ、この際モノフィラメント１３が黒色であるので、薄金色に陰影を作ることができ、薄金色に渋みを加えることができる。
実施例４の紐によれば、フィルム状帯状体１２１の乳白色状パール状の光沢とフィルム状帯状体１２２の金色の光沢により、少しぼかした金色に光る装飾性を出すことができ、この際モノフィラメントが透明であるので装飾性の邪魔にならない。
実施例５の紐によれば、フィルム状帯状体１２のガラス状光沢により、光を反射する独特な光沢が得られるとともに、この際、モノフィラメント１３が透明であるので、装飾性の邪魔にならない。
【００１８】
また、本発明は、本実施例の範囲に限らず、本発明の範囲内で目的、用途に応じて種々変更した実施例とすることができる。即ち、本実施例では、ゴム状芯体１１の直径を約３ｍｍとしたが、日用品等縛る対象物の大きさによって直径を約２ｍｍとしたり、あるいは４ｍｍとする等、紐１の直径は様々に変更できる。
更に、ゴム糸状体１１１の直径は、本実施例では１ｍｍとしたが、これに限らず、０．８ｍｍや１．２ｍｍ等種々採用できる。
また、本実施例では、ゴム糸状体１１１の材質をポリウレタンとしたが、これに限らず、天然ゴム等種々のゴムを用いることができる。
更に、フィルム状帯状体１２の材質をポリエステルとしたが、これに限らず、装飾効果の目的によって、ポリプロピレン等様々な材質のフィルム状帯状体１２を採用できる。
また、本実施例では、フィルム状帯状体１２が１２本用いられているが、本発明はこれに限らず、１０本又は１４本等種々変更できる。
更に、本実施例では、モノフィラメントの材質をポリエステルとしたが、本発明はこれに限らず、ポリプロピレン等種々変更した実施例とすることができる。
【産業上の利用可能性】
【００１９】
本発明の紐は、日用品及びアクセサリ（例えば、ブック等の連結、ファスナの留め具に結びつける飾り紐、髪結び、装身具［ベルト、ブレスレット及びネックレス等］等を挙げることができる）、携帯電話等に用いるストラップ用の紐、ラッピング用紐（掛止する、縛る、止める、包む等の広い意味で用いる）等として広く利用できる。
【図面の簡単な説明】
【００２０】
【図１】本実施例の紐を示す表面部の一部を剥がした状態を示す平面図である。
【図２】図１の横断面図である。
【図３】本実施例の紐の一部外観図である。
【符号の説明】
【００２１】
１；紐、１１；ゴム状芯体、１１１；ゴム糸状体、１２，１２１，１２２；フィルム状帯状体、１３；モノフィラメント。
【図１】
2005350789.tif 000003
【図２】
2005350789.tif 000004
【図３】
2005350789.tif 000005